(57)【要約】【課題】  電柱を補強する柱状補強装置のアンカと腕部との結合が容易に行えるようにする。【解決手段】  地中の表面付近に位置するその地中に立設された電柱等の柱状物に当接して支持する支持部及びその支持部から伸びてその支持部と一体化された腕部と、その腕部の先端側を固定する、下部に螺旋状の掘削刃を有し、上部に埋設用のフランジ及び角柱部を有するアンカとからなる柱状物補強装置において、前記腕部材と前記アンカとの結合は、その腕部材に設けられた所定の大きさの穴にそのアンカを通した後、そのアンカの前記フランジの下方に２分割されたその所定の大きさの穴よりも大きなワッシャを挿入して行われる。【選択図】      図１
2008050942.tif 000002
【特許請求の範囲】
【請求項１】
地中の表面付近に位置するその地中に立設された電柱等の柱状物に当接して支持する支持部及びその支持部から伸びてその支持部と一体化された腕部と、その腕部の先端側を固定する、下部に螺旋状の掘削刃を有し、上部に埋設用のフランジ及び角柱部を有するアンカとからなる柱状物補強装置において、
前記腕部材と前記アンカとの結合は、その腕部材に設けられた所定の大きさの穴にそのアンカを通した後、そのアンカの前記フランジの下方に２分割されたその所定の大きさの穴よりも大きなワッシャを挿入して、その腕部材に設けられた、そのアンカの螺旋刃の通過できる所定の大きさの穴の上にその所定の大きさの穴と同じ大きさの穴及びその穴よりも小さく、かつ、そのアンカのフランジよりも小さい連続した２つの穴を有するワッシャを用いて、その腕部材に設けられた所定の大きさの穴の形状をそのアンカの螺旋状の掘削刃が通過できる逃げを設け、かつ、そのアンカのフランジが通過できない大きさに形成して、その腕部材に設けられた所定の大きさの穴内に位置したアンカの角柱部に挿入する角穴を有する固定板をその腕部材に固定して、又は、その腕部材に設けられる、そのアンカの螺旋刃の通過できる所定の大きさの穴はその穴よりも小さく、かつ、そのアンカのフランジよりも小さい連続した２つの穴を設けて行われることを特徴とする柱状物補強装置。    
【請求項２】
請求項１に記載の柱状物補強装置において、支持部は柱状物に直接当接し、その柱状物とその柱状物の挿入される筒状体との間に挿入し、又は、その筒状体に当接されるものであることを特徴とする柱状物補強装置。
【請求項３】
請求項１又は２に記載の柱状物補強装置において、支持部は、バンド部材により結束されるものであることを特徴とする柱状物補強装置。
【請求項４】
請求項１又は２に記載の柱状物補強装置において、支持部は、筒状体の外周に嵌め込まれて、又は、固定金具を用いて取付けられるものであることを特徴とする柱状物補強装置。
【請求項５】
地中の表面付近に位置するその地中に立設された電柱等の柱状物に当接して支持する支持部及びその支持部から伸びてその支持部と一体化された腕部と、その腕部の先端側を固定するアンカとからなる柱状物補強装置において、
前記支持部と前記腕部との間にその腕部方向に伸びる補強リブが設けられていることを特徴とする柱状物補強装置。
【請求項６】
請求項５に記載の柱状物補強装置において、補強リブは、腕部の表面及び裏面の両方に設けられていることを特徴とする柱状物補強装置。
【請求項７】
請求項５又は６に記載の柱状物補強装置において、腕部の裏面には、その腕部の伸び方向と直交する方向に伸びる突片が設けられていることを特徴とする柱状物補強装置。
【発明の詳細な説明】
【技術分野】
【０００１】
本発明は、地中に立設される電柱等の柱状物を補強する柱状物補強装置に関する。
【背景技術】
【０００２】
従来、電線用や電話線用の電柱、あるいは交通信号機のポール等の柱状物（以下、電柱を例に説明する。）を地面（地中）に立設するには、穴堀建柱車により電柱の立設箇所の地面に所定深さの穴を掘り、その掘られた穴の中に電柱の下端部（基部）を挿入して行われている。また、立設された電柱には、必要に応じて電柱に加わる張力に耐えるように支線が設けられ、あるいは、その張力に耐えるように、地中において電柱の立設方向と直交する棒材からなる根かを設けたり、電柱の囲りをコンクリートで覆う根まきが設けられたり、あるいは、電柱の底部に根はじきが設けられる。
【０００３】
しかしながら、地中に立設される柱状物は、電柱の立設箇所の地面に所定深さの穴を掘り、その掘られた穴に電柱の下端部を挿入して立設するため、地質の性質によっては、立設された電柱が不安定になることがあった。また、電柱の取替えの必要が生じたときは、その都度、所定深さの穴を掘らなければならないという面倒があった。さらに、電柱に加えられる張力に耐えるように支線を設けたときは、電柱と支線との間の土地利用が制限されるだけでなく、土地利用の補償費用がかさむという欠点があった。また、地中において、電柱に根かや根はじき等を設けるときは、その分だけ掘削を必要とし、作業が大掛かりになるだけでなく作業時間が長くなる欠点があった。
【０００４】
そこで、出願人は、先に、特願２００２−１４６０３４号及び同１４６０４６号において、上記欠点を解決するために、立設された電柱等の柱状物の安定性を高めることができるとともに、その柱状物の交換を容易にすることができ、しかも、支線，根かあるいは根はじきを必要としない柱状物構造を提案している。これら提案に係る柱状物構造は、電柱等の柱状物の立設される地面に設けられた穴の底部にアンカを埋設し、そのアンカの上端部にその柱状物の底部を挿入する筒状体を設けるとともに、その筒状体にその地面の地表に沿って伸びる腕部材を設けて、その筒状体の中にその柱状物を立設するようにしている。また、特願２００２−２４６１８４において、地中に立設された柱状物の地面の地表部分、すなわち地際部分を補強することができる柱状物補強装置を提案している、この柱状物補強装置は、柱状物又はその柱状物の挿入されている筒状体の地際が支持部材で支持されるとともに、その支持部材には腕部材が設けられている。
【特許文献１】特になし。
【発明の開示】
【発明が解決しようとする課題】
【０００５】
上記提案に係る柱状物構造又は柱状物補強装置により、支線、根か、根はじきあるいは根まきを必要とすることなく柱状物の安定性を高めることができ、また、交換性を高めることができるという特長がある。さらに、柱状物の地際の強度を高めることができるという特長がある。
【０００６】
ところで、上記提案に係る柱状物構造や柱状物補強装置は、腕部材の先端側が下部に螺旋状の掘削刃を有するアンカで固定されるが、このアンカと腕部材との結合を容易に行えるようにすることが望まれているとともに、柱状物の補強効果をより高めることができる腕部材の構造が望まれていた。
【０００７】
そこで、本発明は、上記要望に応えるためになされたものであって、その目的は、腕部材とアンカとの結合が容易で、しかも、補強効果を高めることのできる柱状物補強装置を提供することにある。
【課題を解決するための手段】
【０００８】
本発明に係る柱状物補強装置は、上記目的を達成するために、請求項１に記載の発明は、地中の表面付近に位置するその地中に立設された電柱等の柱状物に当接して支持する支持部及びその支持部から伸びてその支持部と一体化された腕部と、その腕部の先端側を固定する、下部に螺旋状の掘削刃を有し、上部に埋設用のフランジ及び角柱部を有するアンカとからなる柱状物補強装置において、前記腕部材と前記アンカとの結合は、その腕部材に設けられた所定の大きさの穴にそのアンカを通した後、そのアンカの前記フランジの下方に２分割されたその所定の大きさの穴よりも大きなワッシャを挿入して、その腕部材に設けられた、そのアンカの螺旋刃の通過できる所定の大きさの穴の上にその所定の大きさの穴と同じ大きさの穴及びその穴よりも小さく、かつ、そのアンカのフランジよりも小さい連続した２つの穴を有するワッシャを用いて、その腕部材に設けられた所定の大きさの穴の形状をそのアンカの螺旋状の掘削刃が通過できる逃げを設け、かつ、そのアンカのフランジが通過できない大きさに形成して、その腕部材に設けられた所定の大きさの穴内に位置したアンカの角柱部に挿入する角穴を有する固定板をその腕部材に固定して、又は、その腕部材に設けられる、そのアンカの螺旋刃の通過できる所定の大きさの穴はその穴よりも小さく、かつ、そのアンカのフランジよりも小さい連続した２つの穴を設けて行われることを特徴としている。
本発明の請求項２に記載の柱状物補強装置は、支持部は柱状物に直接当接し、その柱状物とその柱状物の挿入される筒状体との間に挿入し、又は、その筒状体に当接されるものであることを特徴としている。
本発明の請求項３に記載の柱状物補強装置は、支持部は、バンド部材により結束されるものであることを特徴としている。
本発明の請求項４に記載の柱状物補強装置は、支持部は、筒状体の外周に嵌め込まれて、又は、固定金具を用いて取付けられるものであることを特徴としている。
【０００９】
本発明に係る柱状物補強装置は、上記目的を達成するために、請求項５に記載の発明は、地中の表面付近に位置するその地中に立設された電柱等の柱状物に当接して支持する支持部及びその支持部から伸びてその支持部と一体化された腕部と、その腕部の先端側を固定するアンカとからなる柱状物補強装置において、前記支持部と前記腕部との間にその腕部方向に伸びる補強リブが設けられていることを特徴としている。
本発明の請求項６に記載の柱状物補強装置は、補強リブは、腕部の表面及び裏面の両方に設けられていることを特徴としている。
本発明の請求項７に記載の柱状物補強装置は、腕部の裏面には、その腕部の伸び方向と直交する方向に伸びる突片が設けられていることを特徴としている。
【発明の効果】
【００１０】
本発明の請求項１に記載の柱状物補強装置は、腕部材とアンカとの結合は、その腕部材に設けられた所定の大きさの穴にそのアンカを通した後、そのアンカのフランジの下方に２分割されたその所定の大きさの穴よりも大きなワッシャを挿入して、その腕部材に設けられた、そのアンカの螺旋刃の通過できる所定の大きさの穴の上にその所定の大きさの穴と同じ大きさの穴及びその穴よりも小さく、かつ、そのアンカのフランジよりも小さい連続した２つの穴を有するワッシャを用いて、その腕部材に設けられた所定の大きさの穴の形状をそのアンカの螺旋状の掘削刃が通過できる逃げを設け、かつ、そのアンカのフランジが通過できない大きさに形成して、その腕部材に設けられた所定の大きさの穴内に位置したアンカの角柱部に挿入する角穴を有する固定板をその腕部材に固定して、又は、その腕部材に設けられる、そのアンカの螺旋刃の通過できる所定の大きさの穴はその穴よりも小さく、かつ、そのアンカのフランジよりも小さい連続した２つの穴を設けて行われるので、腕部とアンカとの結合を効果的に行うことができる。
本発明の請求項２に記載の柱状物補強装置は、支持部は柱状物に直接当接し、その柱状物とその柱状物の挿入される筒状体との間に挿入し、又は、その筒状体に当接されるものであるので、強度を高めることができる。
本発明の請求項３に記載の柱状物補強装置は、支持部は、バンド部材により結束されるものであるので、支持部を電柱又は筒状体に容易に取付けることができる。
本発明の請求項４に記載の柱状物補強装置は、支持部は、筒状体の外周に嵌め込まれて、又は、固定金具を用いて取付けられるものであるので、支持部を筒状体に容易に取付けることができる。
【００１１】
本発明の請求項５に記載の柱状物補強装置は、支持部と腕部との間にその腕部方向に伸びる補強リブが設けられているので、強度を高めることができる。
本発明の請求項６に記載の柱状物補強装置は、補強リブは、腕部の表面及び裏面の両方に設けられているので、より強度を高めることができる。
本発明の請求項７に記載の柱状物補強装置は、腕部の裏面には、その腕部の伸び方向と直交する方向に伸びる突片が設けられているので、腕部の長手方向に加わる力に対して有効に対処することができる。
【発明を実施するための最良の形態】
【００１２】
以下、本発明の実施の形態を図面に基づいて説明する。図１（ａ）は、一実施の形態に係る柱状物補強装置の斜視図である。本発明の柱状物に相当する電柱Ｐは、地面（本発明の地中に相当している。）Ｇに既に立設されている鋼製の筒状体（ケーシング）Ｃ内に挿入されている。この筒状体Ｃについては、本出願人の先の提案に係る特願２００２−１４６０３４及び同１４６０４６に詳述されているので詳しい説明は省略するが、筒状体Ｃの図示しない下端部には、螺旋状の掘削刃を有するアンカが埋設されている。
【００１３】
柱状物補強装置（以下、補強装置として説明する。）１ａは、鋳物からなる長尺物であって、その一端側が電柱Ｐと筒状体Ｃとの間隙に挿入し、かつ、その電柱Ｐの長手方向に沿う所定の長さを有する支持部２ａと、その支持部２ａと一体化された腕部３ｂとから構成されている。そして、その腕部３ｂの先端側には、アンカＡを結合させるための孔４ａが設けられている。この孔４ａの大きさは、後述するアンカＡが通過できる大きさに形成されている。
【００１４】
この補強装置１ａは、図１（ａ）では電柱Ｐを上面から見たときに９０°となるように、その電柱Ｐから放射状に２本設置されているが、その設置本数は、電柱Ｐに加わる張力、又は電柱Ｐの設置場所における補強方向（例えば電柱Ｐの側方に列車が走行する線路が存在するなど。）等によって決められ、１本又は３本以上、場合によっては、後述する図３（ａ）に示されるように、電柱Ｐの全周囲に亘って設置される。
【００１５】
アンカＡは、本出願人が特開２０００−１８５０号等で提案しているもので、このアンカＡは、鋳鉄製からなり、先細りの軸部ａ1 の周囲に螺旋状の掘削刃ａ2 ，ａ2 …が所定の間隔を保って複数個（図示の例では４個）設けられている。これら掘削刃ａ2 ，ａ2 …は、上部側ほど大径に形成されている。そして、その軸部ａ1 の上端側（先細りと反対側）には、フランジａ３が設けられているとともに、そのフランジａ３の上側中央部には、アンカＡを地面Ｇに埋設するときの工具（穴堀建柱車等の回転部）に接続するための角柱部ａ4 が設けられている。
【００１６】
図中、５は、２分割されたワッシャであって、その大きさは、下端部が腕部３ｂに設けられている孔（４ａより小さく、上端部がその孔４ａよりも大きく、そして、中心部がアンカＡの軸部ａ1 の円周に沿う溝条に形成された円錐状に構成されている。
【００１７】
したがって、腕部３ｂの孔４ａに、図示しない穴堀建柱車の回転部に装着される工具を用いてアンカＡを埋設する際、上記ワッシャ５を図１（ｂ）に示されるように、アンカＡの掘削刃ａ2 が孔４ａを通過後に、そのアンカＡの軸部ａ1 のフランジ３ａの下方にワッシャ５を接着テープ（図示せず）で仮止めして埋設すると、腕部３ｂとアンカＡとが連結される。
【００１８】
なお、図１（ａ）の例では、補強装置１ａの支持部２ａは、電柱Ｐと筒状体Ｃとの間隙中に挿入したが、この筒状体Ｃが設けられないときは、後述する図３（ａ），（ｂ）に示されるように、バンド部材を用いて電柱Ｐに取付けられる。また、筒状体Ｃを用いる場合であっても、支持部２ａを筒状体Ｃの外周にバンド部材を設けて取付けたり、筒状体Ｃの外周に支持部２ａの一部を嵌め込ませて取付けたり、あるいは、筒状体Ｃの外周と支持部２ａとの間にヒンジ等の固定金具を用いて取付けるようにしてもよい。しかし、図１（ａ）に示されるように、支持部２ａを電柱Ｐと筒状体Ｃとの間隙中に挿入する形で取付けたときは、筒状体Ｃに挿入された電柱Ｐのガタツキを防止できる特長がある。
【００１９】
図２（ａ）〜（ｄ）は、腕部３ａとアンカＡとの他の結合手段をそれぞれ示すものであって、同図（ａ）は、２つの連続した孔６ａ，６ｂを有するワッシャ６を用いる例が示されている。
【００２０】
このワッシャ６は、腕部３ｂの孔４ａの上に載置されて用いられるもので、一方の孔６ａは、腕部３ｂに設けられている孔４ａと同様に、アンカＡが通過できる大きさに決められ、他方の孔６ｂは、その一方の穴６ａと連通し、アンカＡの軸部ａ1 が通過できるがフランジａ3 が通過できない大きさにきめられている。したがって、アンカＡの螺旋刃ａ2 ，ａ2 …が孔４ａ，６ａが通過した後、ワッシャ６を矢印の方向に移動させてアンカＡを埋設させると、腕部３ａとアンカＡとを結合させることができる。
【００２１】
図２（ｂ）にされる結合手段は、腕部３ａに設けられる孔４ａをアンカＡの軸部ａ1 が通過でき、かつ、フランジａ3 が通過できず、さらに、最も大きな螺旋刃２ａが回転して通過できる逃げ７を設けた構造としている。したがって、腕部３ａとアンカＡとは、アンカＡのフランジａ3 により結合することができる。
【００２２】
図２（ｃ）に示される結合手段は、腕部３ａの孔４ａ内に位置するアンカＡの角柱部ａ4 を固定板８で固定するようにしている。すなわち、この固定板８には、角柱部ａ4 の入る角穴８ａを有し、この固定板８は、腕部３ａにねじ止めできるようにしたものである。したがって、腕部３ａとアンカＡとは、固定板８を介して結合することができる。
【００２３】
図２（ｄ）に示される結合手段は、上記図２（ａ）に示されるワッシャ６に設けられている穴６ａ，６ｂを腕部３ａに直接設けるようにしたものである。すなわち、この図２（ｄ）に示される腕部３ａに設けられる孔９は、アンカＡが通過できる孔９ａと、そのアンカＡの軸部ａ1 が通過でき、かつ、フランジａ3 が通過できない大きさの孔９ｂとから構成されている。この孔９を有する補強装置の場合は、先ず、孔９ａを介してアンカＡを通過させ、その後、矢印で示される方向に腕部３ａを移動させて、つまり、アンカＡの軸部ａ1 を孔８ｂに入れてアンカＡの埋設が行われる。
【００２４】
図３（ａ），（ｂ）は、他の実施の形態に係る補強装置１ｂを示すものであって、同図（ａ）はその平面図、同図（ｂ）は、その一部の斜視図である。ここに示される補強装置１ｂは、同図（ｂ）に示されるように、支持部２ｂと腕部３ｂとの間に補強リブ１０ａ，１０ｂがこれらと一体的に設けられている。すなわち、これら補強リブ１０ａ，１０ｂは、支持部２ｂ及び腕部３ｂの両側をそれぞれ結ぶ形で設けられている。
【００２５】
図３（ｂ）中、１０ｃ，１０ｄは、補強リブ１０ａ，１０ｂにそれぞれ設けられた孔であって、支持部２ｂを電柱Ｐに固定（結束）するためのバンド部材１０ｅを取付けるために使用される。このような補強リブ１０ａ，１０ｂが設けられると、補強装置１ｂの強度が増加し、これにより電柱Ｐの補強を効率よく行うことができる。
【００２６】
なお、図３（ａ），（ｂ）において、アンカＡを結合する孔４ｂは、上記図１（ａ）と同一形状で示されているが、腕部３ｂとアンカＡとの結合は、上記図１（ｂ）、図２（ａ），（ｂ），（ｃ），（ｄ）のいずれの手段であってもよい。また、補強装置１ｂを電柱Ｐの周囲全部に配置しているが、これを電柱Ｐに加わる張力方向等により１本又は２本以上とすることができる。
【００２７】
図４（ａ），（ｂ）に示される補強装置１ｃは、支持部２ｃの中央部分から腕部３ｃを突出させ、補強リブ１１ａ，１１ｂを支持部２ｃと腕部３ｃとの中央部分で、かつ、腕部３ｃの上下に配置した構造を呈している。また、腕部３ｃの先端部分は、アンカＡのフランジａ3 が挿入できる上下２段のコ字状の結合部１１ｃに形成されている。この補強装置１ｃは、支持部２ｃの上下部分でバンド部材１１ｄ，１１ｅを用いて電柱Ｐに取り付けることができる特長がある。
【００２８】
図４（ｃ）は、腕部３ｃの先端のアンカＡの結合部１１ｆにピン孔１１ｇ，１１ｇを設け、アンカＡの角柱部ａ4 に設けられているピン孔ａ5 とそれらピン孔１１ｇ，１１ｇ間にピン１１ｈを挿入してアンカＡを腕部３の先端に固定できるようにしたものである。
【００２９】
図５に示される補強装置１ｄは、上記図３（ａ），（ｂ）に示される補強装置１ｄと同様に、支持部２ｄ及び腕部３ｄの両側に補強リブ１２ａ，１２ｄをそれぞれ有しているが、ここに示される腕部３ｄは、支持部２ｄに対して直角ではなく、上方へ向けて広がるように設けられて全体がくさび形を呈するように構成されている。
【００３０】
この補強装置１ｄは、くさび形を呈しているので、この補強装置１ｄを図示しない電柱に沿って埋設（挿入）するとき、支持部２ｄが電柱に対して密着する特長がある。この補強装置１ｄの１本又はそれ以上は、図示しないバンド部材で支持部２ｄが電柱に結束され、また、孔４ｄには、上述したと同様の結合手段により図示しないアンカＡが結合される。
【００３１】
図６（ａ），（ｂ）に示される補強装置１ｅは、腕部３ｅの上面側は、上記図３（ａ），（ｂ）及び図５と同様に２本の補強リブ１３ａ，１３ｄを有している以外に、その下面側に１本の補強リブ１３ｃを有している。この下面側の補強リブ１３ｃは、腕部３ｅの長手方向に設けられる。また、この腕部３ｅに設けられるアンカ（図示せず）を結合する孔４ｅは、上記図２（ｄ）に示される大小２つの連続した孔９と同じものが示されている。
【００３２】
図７（ａ），（ｂ）に示される補強装置１ｆは、腕部３ｆの下面両側に補強リブ１４ａ，１４ｄを設けるとともに、その腕部３ｆの下面でその先端側及び中央側にその腕部３ｆの長手方向と直交する方向に伸びる突片１４ｃ，１４ｄをそれぞれ設けて構成されている。また、この腕部３ｆに設けられるアンカ（図示せず）を結合する孔４ｆは、上記図２（ｄ）に示される大小２つの連続した孔９と同じものが示されている。この補強装置１ｆは、腕部３ｆの長手方向と直交する突片１４ｃ，１４ｄを設けているので、腕部３ｆの長手方向に加わる力に対して効果的に対処することができる
【図面の簡単な説明】
【００３３】
【図１】（ａ）は、本発明の一実施の形態に係る柱状物補強装置の斜視図、（ｂ）は、腕部とアンカとの結合状態を示す説明図である。
【図２】（ａ）〜（ｄ）は、腕部とアンカとの結合手段をそれぞれ示す説明図である。
【図３】（ａ）は、他の柱状物補強装置の平面図、（ｂ）はその一部の斜視図である。
【図４】（ａ）は、さらに他の柱状物補強装置の斜視図、（ｂ）は、アンカを取付けた状態の説明図、（ｃ）は、アンカの他の取付状態を示す説明図である。
【図５】他の柱状物補強装置の斜視図である。
【図６】（ａ）は、さらに他の柱状物補強装置の平面図、（ｂ）は、（ａ）の下面図である。
【図７】（ａ）は、他の柱状物補強装置の平面図、（ｂ）は、（ａ）の下面図である。
【符号の説明】
【００３４】
１ａ〜１ｆ  柱状物補強装置（補強装置）
２ａ〜２ｆ  支持部
３ａ〜３ｆ  腕部
４ａ〜４ｆ  孔
５  ワッシャ
６  ワッシャ
７  逃げ
８  固定板
９  孔
１０ａ，１０ｂ，１１ａ，１１ｂ，１２ａ，１２ｂ，１３ａ，１３ｂ，１４ａ  ，１４ｂ  補強リブ
１４ｃ，１４ｄ  突片
Ｐ  電柱（柱状物）
Ｃ  筒状体
Ｇ  地面
【図１】
2008050942.tif 000003
【図２】
2008050942.tif 000004
【図３】
2008050942.tif 000005
【図４】
2008050942.tif 000006
【図５】
2008050942.tif 000007
【図６】
2008050942.tif 000008
【図７】
2008050942.tif 000009